(57)【要約】      （修正有）【課題】戸棚やカップボード等に収納のコップやグラス（脚付き）等を地震や振動による横滑りや転倒からの破損を防ぐ転倒防止コースターを提供する。【解決手段】コースター本体は自己粘着性を有する軟質合成樹脂からなり、受底面４のある内径内側に、ヒダ状の突起片２を受底面から離して設け、引掛け溝３とし、ヒダ状突起片の把持力によるコップやグラス（脚付き）等を転倒しないようにしたものであり、揺れによる横滑りを防ぎ棚等からの落下を防止する。【選択図】図２
0003156976.tif 000002
【実用新案登録請求の範囲】
【請求項１】
コースター本体は自己粘着性を有する軟質合成樹脂からなり受底面のある内径内側に受底面から離してヒダ状の突起片を形成し受底面と本体底面の間に補強板を内蔵して構成した転倒防止コースター。
【請求項２】
コースター本体の自重と内径内側にあるヒダ状の突起片の把持力により安定して戴置保持し転倒や横滑りを防止でき、収納時に地震等の揺れから転倒防止、横滑り落下破損防止ができる請求項１の転倒防止コースター。
【考案の詳細な説明】
【技術分野】
【０００１】本考案は主に飲料用のコップやグラス（脚付き）等を滑らさせず動揺や転倒を防止して安全に定置させるコースターに関するものである。
【背景技術】
【０００２】従来よりコップやグラス（脚付き）等の下に敷く平面なコースターはあるが、例えば文献１（実用新案公開平７−２３４８０）では、コースター上面に自己粘着性を有する軟質合成樹脂よりなる湯飲み茶碗受け部を埋め込むようにした転倒防止コースターを紹介し、文献２（特許公開平８−７０９７５）では、本体コップ１の底面に、穴を４ヶ所均等に開け、吸盤４の頭の部分をそれぞれの穴に埋め込み固定し４の頭部が隠れるようにふた２をかぶせ、ふた２と底面の間にある空間にはおもり３を設けまた本体コップ１の側面にはＵ字型に切り取った部分５を設けたことを特長としたものを紹介している。【０００３】文献３（特許公開２００２−３３０８５４）では中央部を缶飲料等４が勘合するよう円形にカットした板状のポリエチレンホーム等の素材１とその下にコースター３を固定するための吸着性を有した吸着シートを貼り合わせ、一体化した構造のもを紹介し、文献４（特許公開２００３−２０４８５７）では、コースター１の台板２の下面に、外周に立壁３を設けるこことにより扁平空間４内の台板下面に吸着縁５を下向きに持つ吸盤５を設けたことを特長とし、テーブルＴとの間に接着力が働くようにするとともに、その接着力の働き過ぎを立壁３の踏ん張りで規制できるように構成され、水分を原因として生ずるコップとの接着力に対して、テーブルとの接着力を少しく高める事でコースターがコップと一緒に持ち上がらないようにしたものを紹介している。【０００４】文献５（特許公開２００８−１８２１４）では、略正方形でその外周線が波形の厚紙又はプラスチック等のシート上に、略円形状でその円周線が波形の切り込みを入れ、該切り込みは対向する２ヶ所で途切れる部分を有し、該途切れ部分には上下の波形円周線を繋ぐ折り線を入れ、該折り線の９０°方向に、上下の波形円周線を繋ぐ直線状の中切込みを入れた、コースターで紙コップ等の軽量コップを風や揺れあるいは衝撃等で転倒を防止する、コストが安く簡単に装着できて手間がかからず、広告効果もあるコースターを紹介、文献６（特開２００９−１２５５７４（Ｐ２００９−１２５５７４Ａ）ではコースター本体の自重とその形状によって転倒から防ぎ、滑りずらい素材を使用し、はかま部分にマグカップの取っ手を邪魔しないように、切り込みを入れ、さらに他色にすることで、他人との混同を避けることのできることを特長とするボルダー式のコースターを紹介している。しかしながらこれらいずれのものもコースターの上に飲用時コップやグラス（脚付き）等を置いて使用し、飲用時のテーブルの揺れや不注意による転倒を防止するものである。
【先行技術文献】
【０００５】
【文献１】
実用新案公開平７−２３４８０  転倒防止コースター
【文献２】
特許公開平８−７０９７５  子供用吸盤付きコースター
【文献３】
特許公開２００２−３３０８５４  吸着機能付きコースター
【文献４】
特許公開２００３−２０４８５７  コースター
【文献５】
特許公開２００８−１８２１４  転倒防止コースター
【文献６】
特開２００９−１２５５７４（Ｐ２００９−１２５５７４Ａ）ホルダー式のコースター
【考案の概要】
【考案が解決しようとする課題】
【０００６】本考案のコースターはコップ、グラス（脚付き）等の下部を把持し底部が棚板等の上面に直接、当接することなく、安定して戴置保持し転倒や横滑りを防止でき、収納時に地震等の揺れから転倒防止、横滑り落下破損防止ができる転倒防止コースターを提供する。
【課題を解決するための手段】
【０００７】コースター本体１は自己粘着性を有する軟質合成樹脂（シリコーンゴム等）からなり、受底面４のある内径内側にヒダ状の突起片２を受底面４から離して設け、引掛け溝３とし、受底面４と本体底面６の間にコースター本体１の安定化と歪み防止の補強板７を内蔵して構成し、突起片２の把持力によるコップ、グラス（脚付き）等を転倒しないようにしたものであり、揺れによる横滑りを防ぎ棚等からの落下を防止する。
【考案の効果】
【０００８】コースター本体１の中央上面５にコップを回転させながら押込み突起片２が湾曲し受底面４まで挿入すると突起片２側面でコップの下部外周を把持固定する事でコップは転倒しない、グラス（脚付き）の場合も本体中央上面５に脚底面を置きグラス（脚付き）を回転させながら押込み突起片２が湾曲して脚部が通過し引掛け溝３と受底面４の間に脚部が入ると突起片２が戻り脚部上面を突起片が引掛け受底面４の間で押える事でグラス（脚付き）は転倒しない。【０００９】コースター本体１は自己粘着性を有する軟質合成樹脂よりなり本体底面と棚板等の上面は密着し横滑りが無く棚からの落下が防止できる。
【図面の簡単な説明】
【００１０】
【図１】本考案の上面図
【図２】本考案の断面図
【図３】本考案のコップ使用例の斜視図
【図４】本考案のコップ使用例の断面図
【図５】本考案のグラス（脚付き）使用例の斜視図
【図６】本考案のグラス（脚付き）使用例の断面図
【符号の説明】
【００１１】１  コースター本体
２  突起片
３  引掛け溝
４  受底面
５  上面
６  本体底面
７  補強板
８  コップ
９  グラス（脚付き）
【実施例】
【００１２】実施例について図面を参照して説明すると図１、図２において、コースター本体１は自己粘着性を有する軟質合成樹脂よりなる材質で構成する。コースター本体１の中央に受底面４のある内径内側より受底面４との間に引掛け溝３を設けヒダ状の突起片２を形成し受底面４と本体底面６の間に補強板７を設ける構成からなる。【００１３】このコースターにコップを使用する状態を図３、図４に示し、上面５にコップ底面を回転させながら受底面４まで押込むと突起片２が湾曲し突起片２の側面で把持され転倒しない。グラス（脚付き）の使用状態を図５、図６に示し、本体中央上面５に脚底面を置きグラスを回転させながら押込み突起片２が湾曲して脚部が通過し引掛け溝３と受底面４の間に脚部が入ると突起片２が戻り脚部上面を突起片が引掛け受底面４の間で押える事でグラス（脚付き）は転倒しない。【００１４】  コップやグラス（脚付き）をコースターに装着すると本体底面６に歪みが発生し、棚板等との間に隙間ができ粘着力が低下横滑りしやすくなるのを防止するために補強板７を設ける。【００１５】  コップ、グラス（脚付き）を外すには回転させながら引っ張れば簡単にはずす事ができる【００１６】図３，図４、図５、図６に示される実施例では、本体１は自己粘着性を有する軟質合成樹脂からなり、本体１ごと転倒，又は棚から滑り落ちる事を防止する。【００１７】戸棚やカップボード等に収納するコップやグラス（脚付き）を地震等の揺れによる転倒や棚板から横滑りによる落下等の破損を防止するのを目的としているが、又自動車、船、航空機等の揺れの激しい場所でも転倒、横滑りの心配が無く安心して使用する事も出来る。
【図１】
0003156976.tif 000003
【図２】
0003156976.tif 000004
【図３】
0003156976.tif 000005
【図４】
0003156976.tif 000006
【図５】
0003156976.tif 000007
【図６】
0003156976.tif 000008